(57)【要約】  洗濯機が、底部および周側部を有する内槽と、底部に正逆方向に回転可能に設けられた攪拌翼と、周側部の内周面に取り付けられたリント捕獲装置（１００）とを備える。リント捕獲装置（１００）が、ハウジング（１０１）と、ハウジング（１０１）の内部に設けられた捕獲室（１０２）と、捕獲室（１０２）の内部に設けられ、第１側方孔部（１１４）および第２側方孔部（１１５）の間を仕切る仕切部（１２３）とを有し、この仕切部（１２３）が、仕切部（１２３）の延在方向に沿って間隔を空けて配置され、ハウジング（１０１）の捕獲室（１０２）に面する内面における内槽（３０）の内周面に交差する方向の一方から他方に向かって突出する複数の突起部（１２４）を有し、隣接する突起部（１２４）間に隙間（１２５）が設けられている。
2018220871.tif 000002
【特許請求の範囲】
【請求項１】
底部および周側部を有し、洗濯水が貯留される有底筒状の内槽と、
上記底部に正逆方向に回転可能に設けられ、上記内槽に貯留された洗濯水を攪拌して、正逆方向の水流を発生させる攪拌翼と、
上記周側部の内周面に取り付けられたリント捕獲装置と、
を備え、
上記リント捕獲装置が、
ハウジングと、
上記ハウジングの内部に設けられ、上記洗濯水に含まれるリントを捕獲可能な捕獲室と、
上記ハウジングの上記内槽の周方向の一方に設けられ、上記ハウジングの外部と上記捕獲室とに連通する第１側方孔部と、
上記ハウジングの上記内槽の周方向の他方に設けられ、上記ハウジングの外部と上記捕獲室とに連通する第２側方孔部と、
上記ハウジングに回転可能に支持されて、上記第１側方孔部を閉塞可能であると共に、上記攪拌翼による正方向の水流によって上記第１側方孔部を開放し、上記攪拌翼による逆方向の水流によって上記第１側方孔部を閉鎖する第１開閉部と、
上記ハウジングに回転可能に支持されて、上記第２側方孔部を閉塞可能であると共に、上記攪拌翼による逆方向の水流によって上記第２側方孔部を開放し、上記攪拌翼による正方向の水流によって上記第２側方孔部を閉鎖する第２開閉部と、
上記捕獲室の内部に設けられ、上記内槽の上記内周面に沿って上記内槽の周方向に交差する方向に延びかつ上記第１側方孔部および上記第２側方孔部に対向する位置に配置されて、上記第１側方孔部および上記第２側方孔部の間を仕切る仕切部と
を有し、
上記仕切部は、上記ハウジングの上記捕獲室の内面における上記内槽の上記内周面に交差する方向の一方から他方に向かって突出する複数の突起部を有し、隣接する上記突起部間に隙間が設けられていることを特徴とする洗濯機。
【請求項２】
請求項１の洗濯機において、
上記第１開閉部の少なくとも上記第１側方孔部を覆う部分に、上記第１開閉部を上記第１開閉部の回転方向に貫通する第１貫通孔部が設けられ、
上記第２開閉部の少なくとも上記第２側方孔部を覆う部分に、上記第２開閉部を上記第２開閉部の回転方向に貫通する第２貫通孔部が設けられていることを特徴とする洗濯機。
【請求項３】
請求項２の洗濯機において、
上記第１貫通孔部が、上記第１開閉部の回転軸の延在方向に交差する方向に延びるスリット状を有し、上記第２貫通孔部が、上記第２開閉部の回転軸の延在方向に交差する方向に延びるスリット状を有していることを特徴とする洗濯機。
【請求項４】
請求項２または３の洗濯機において、
上記仕切部の上記隙間の少なくとも１つが、上記内槽の周方向から見て、上記第１開閉部の上記第１貫通孔部および上記第２開閉部の上記第２貫通孔部の少なくともいずれかと相互に重ならないように配置されていることを特徴とする洗濯機。
【請求項５】
請求項１から４のいずれか１つの洗濯機において、
上記ハウジングの上記内槽の上記内周面に交差する方向でかつ上記内槽の内部に面した正面側に、上記ハウジングの外部と上記捕獲室とに連通した正面孔部が設けられ、
上記仕切部が、上記突起部の突出方向に交差する方向に延びて、上記ハウジングの外部から上記第１側方孔部および上記第２側方孔部を介して上記捕獲室に流入した水を、上記正面孔部を介して上記ハウジングの外部に案内する流入水案内部を有することを特徴とする洗濯機。
【請求項６】
底部および周側部を有し、洗濯水が貯留される有底筒状の内槽と、
上記底部に正逆方向に回転可能に設けられ、上記内槽に貯留された洗濯水を攪拌して、正逆方向の水流を発生させる攪拌翼と、
上記周側部の内周面に取り付けられたリント捕獲装置と、
を備え、
上記リント捕獲装置が、
ハウジングと、
上記ハウジングの内部に設けられ、上記洗濯水に含まれるリントを捕獲可能な捕獲室と、
上記ハウジングの上記内槽の周方向の一方に設けられ、上記ハウジングの外部と上記捕獲室とに連通する第１側方孔部と、
上記ハウジングの上記内槽の周方向の他方に設けられ、上記ハウジングの外部と上記捕獲室とに連通する第２側方孔部と、
上記ハウジングに回転可能に支持されて、上記第１側方孔部を閉塞可能であると共に、上記攪拌翼による正方向の水流によって上記第１側方孔部を開放し、上記攪拌翼による逆方向の水流によって上記第１側方孔部を閉鎖する第１開閉部と、
上記ハウジングに回転可能に支持されて、上記第２側方孔部を閉塞可能であると共に、上記攪拌翼による逆方向の水流によって上記第２側方孔部を開放し、上記攪拌翼による正方向の水流によって上記第２側方孔部を閉鎖する第２開閉部と、
を有し、
上記第１開閉部の少なくとも上記第１側方孔部を覆う部分に、上記第１開閉部を上記第１開閉部の回転方向に貫通する第１貫通孔部が設けられ、
上記第２開閉部の少なくとも上記第２側方孔部を覆う部分に、上記第２開閉部を上記第２開閉部の回転方向に貫通する第２貫通孔部が設けられていることを特徴とする洗濯機。
【請求項７】
請求項１から６のいずれか１つに記載の洗濯機において、
上記ハウジングが、その正面側に、上記内槽の周方向において上記内槽の周側部に沿って湾曲する湾曲面を有していることを特徴とする洗濯機。
【発明の詳細な説明】
【技術分野】
【０００１】
本出願は、２０１７年６月１日に出願された日本出願の特願２０１７−１０９２０７に対して優先権の利益を主張するものであり、その日本出願に記載された全ての記載内容を援用するものである。【０００２】
本発明は、リント捕獲装置を備えた洗濯機に関する。
【背景技術】
【０００３】
特許文献１には、上部に開口部を有する有底円筒状の内槽と、内槽内の底部に回転可能に設けられた攪拌翼と、内槽内の周側部における底部および開口部の中間に設けられたリントフィルタと、内槽の外部に設けられ、内槽の底部からリントフィルタまで延びた水路とを備えた洗濯機が開示されている。この洗濯機では、洗濯中、内槽内の洗濯水を攪拌翼の回転によって水路内に圧送し、リントフィルタを介して再び内槽内に戻して循環させるようになっており、この循環により洗濯水に含まれる糸屑等（リント）をリントフィルタにより捕獲している。
【先行技術文献】
【特許文献】
【０００４】
【特許文献１】特開２０１０−０１２１４３号公報
【発明の概要】
【発明が解決しようとする課題】
【０００５】
しかしながら、上記洗濯機では、洗濯水を攪拌翼の回転によって水路内に圧送し、内槽の底部からリントフィルタまで汲み上げているため、水路を大きくすることができず、リントを十分に捕獲できない場合があった。【０００６】
そこで、本発明の課題は、洗濯水に含まれるリントの捕獲性能が高い洗濯機を提供することにある。
【課題を解決するための手段】
【０００７】
本発明の一態様の洗濯機は、
底部および周側部を有し、洗濯水が貯留される有底筒状の内槽と、
上記底部に正逆方向に回転可能に設けられ、上記内槽に貯留された洗濯水を攪拌して、正逆方向の水流を発生させる攪拌翼と、
上記周側部の内周面に取り付けられたリント捕獲装置と、
を備え、
上記リント捕獲装置が、
ハウジングと、
上記ハウジングの内部に設けられ、上記洗濯水に含まれるリントを捕獲可能な捕獲室と、
上記ハウジングの上記内槽の周方向の一方に設けられ、上記ハウジングの外部と上記捕獲室とに連通する第１側方孔部と、
上記ハウジングの上記内槽の周方向の他方に設けられ、上記ハウジングの外部と上記捕獲室とに連通する第２側方孔部と、
上記ハウジングに回転可能に支持されて、上記第１側方孔部を閉塞可能であると共に、上記攪拌翼による正方向の水流によって上記第１側方孔部を開放し、上記攪拌翼による逆方向の水流によって上記第１側方孔部を閉鎖する第１開閉部と、
上記ハウジングに回転可能に支持されて、上記第２側方孔部を閉塞可能であると共に、上記攪拌翼による逆方向の水流によって上記第２側方孔部を開放し、上記攪拌翼による正方向の水流によって上記第２側方孔部を閉鎖する第２開閉部と、
上記捕獲室の内部に設けられ、上記内槽の上記内周面に沿って上記内槽の周方向に交差する方向に延びかつ上記第１側方孔部および上記第２側方孔部に対向する位置に配置されて、上記第１側方孔部と上記第２側方孔部との間を仕切る仕切部と
を有し、
上記仕切部は、上記ハウジングの上記捕獲室の内面における上記内槽の上記内周面に交差する方向の一方から他方に向かって突出する複数の突起部を有し、隣接する上記突起部間に隙間が設けられている。【０００８】
また、本発明の一態様の洗濯機は、
底部および周側部を有し、洗濯水が貯留される有底筒状の内槽と、
上記底部に正逆方向に回転可能に設けられ、上記内槽に貯留された洗濯水を攪拌して、正逆方向の水流を発生させる攪拌翼と、
上記周側部の内周面に取り付けられたリント捕獲装置と、
を備え、
上記リント捕獲装置が、
ハウジングと、
上記ハウジングの内部に設けられ、上記洗濯水に含まれるリントを捕獲可能な捕獲室と、
上記ハウジングの上記内槽の周方向の一方に設けられ、上記ハウジングの外部と上記捕獲室とに連通する第１側方孔部と、
上記ハウジングの上記内槽の周方向の他方に設けられ、上記ハウジングの外部と上記捕獲室とに連通する第２側方孔部と、
上記ハウジングに回転可能に支持されて、上記第１側方孔部を閉塞可能であると共に、上記攪拌翼による正方向の水流によって上記第１側方孔部を開放し、上記攪拌翼による逆方向の水流によって上記第１側方孔部を閉鎖する第１開閉部と、
上記ハウジングに回転可能に支持されて、上記第２側方孔部を閉塞可能であると共に、上記攪拌翼による逆方向の水流によって上記第２側方孔部を開放し、上記攪拌翼による正方向の水流によって上記第２側方孔部を閉鎖する第２開閉部と、
を有し、
上記第１開閉部の少なくとも上記第１側方孔部を覆う部分に、上記第１開閉部を上記第１開閉部の回転方向に貫通する第１貫通孔部が設けられ、
上記第２開閉部の少なくとも上記第２側方孔部を覆う部分に、上記第２開閉部を上記第２開閉部の回転方向に貫通する第２貫通孔部が設けられている。
【発明の効果】
【０００９】
前記態様の洗濯機によれば、リント捕獲装置の捕獲室の内部に、第１側方孔部と第２側方孔部との間を仕切る仕切部が設けられ、この仕切部が、隣接する相互間に隙間が設けられた複数の突起部を有している。これにより、一方の側方孔部から捕獲室の内部に流入した洗濯水を捕獲室全体に亘ってスムーズに行き渡らせつつ、流入した洗濯水に含まれるリントを確実に捕獲することができるので、洗濯水に含まれるリントの捕獲性能が高い洗濯機を実現できる。【００１０】
また、前記態様の洗濯機によれば、ハウジングの第１開閉部の少なくとも第１側方孔部を覆う部分に、第１開閉部を第１開閉部の回転方向に貫通する第１貫通孔部が設けられ、ハウジングの第２開閉部の少なくとも第２側方孔部を覆う部分に、第２開閉部を第２開閉部の回転方向に貫通する第２貫通孔部が設けられている。これにより、第１開閉部および上記第２開閉部の各々に第１貫通孔部および第２貫通孔部が設けられていないリント捕獲装置を備えた洗濯機と比較して、捕獲室の内部に流入する洗濯水の量を増やすことができるので、洗濯水に含まれるリントの捕獲性能を高めることができる。その結果、洗濯水に含まれるリントの捕獲性能が高い洗濯機を実現できる。
【図面の簡単な説明】
【００１１】
【図１】本発明の第１実施形態の洗濯機の縦断面図。
【図２】図１の洗濯機の内槽の縦断面図。
【図３】図２のIII-III線に沿った断面図。
【図４】図１の洗濯機のリント捕獲装置の斜視図。
【図５】図４のリント捕獲装置を開いた状態の斜視図。
【図６】図１の洗濯機のリント捕獲装置の第１フラップの部分拡大図。
【図７】図６のVII-VII線に沿った断面図。
【図８】図１の洗濯機のリント捕獲装置のリブの部分拡大図。
【図９】図４のリント捕獲装置の動作を説明するための図２のIII−III線に沿った第１の断面図。
【図１０】図４のリント捕獲装置の動作を説明するための図２のIII−III線に沿った第２の断面図。
【発明を実施するための形態】
【００１２】
以下、本発明に係る実施形態を添付図面に従って説明する。なお、以下の説明では、必要に応じて特定の方向や位置を示す用語（例えば、「上」、「下」、「左」、「右」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは相違している。
【００１３】
（第１実施形態）
本発明の第１実施形態の洗濯機１は、図１に示すように、外箱１０を備える全自動型の洗濯機である。外箱１０の内部には、外槽２０と、外槽２０に収納された有底筒状の内槽３０と、外槽２０の下側に設けられた駆動ユニット４０とが設けられている。外槽２０および内槽３０は、上面が開口した有底筒形状をそれぞれ有しており、上面視における中心が一致するように配置されている。
【００１４】
外箱１０は、金属または合成樹脂からなり、直方体形状を有している。外箱１０の上面および底面は開口している。この外箱１０は、上面の開口に設けられた合成樹脂製の上面板１１と、底面の開口に設けられた合成樹脂製のベース１２とを有している。
【００１５】
上面板１１は、洗濯機１内に洗濯物を投入するための洗濯物投入口１４と、運転モードの選択等を行うための操作パネル（図示せず）とを有している。また、この上面板１１には、洗濯物投入口１４を開閉する上蓋１５が回転可能に取り付けられている。
【００１６】
また、上面板１１内には、電磁的に開閉する給水弁(図示せず)が配置されている。給水弁の上流側には、上面板１１を貫通して上方に突き出す接続管６１が設けられている。この接続管６１には、水道水などの上水を供給する給水ホース(図示せず)が接続される。また、給水弁の下流側は、内槽３０の内部に臨む位置に配置された容器状の給水口(図示せず）に接続されている。
【００１７】
さらに、上面板１１内には、制御装置７０が配置されている。この制御装置７０は、演算等を行うＣＰＵ、洗濯機１の制御に必要なプログラムあるいはデータ等を記憶しておくＲＯＭおよびＲＡＭ等を有し、操作パネルからの信号等に基づいて、駆動ユニット４０等を制御する。
【００１８】
ベース１２は、外箱１０を支えるための脚部１３を有している。この脚部１３は、ベース１２の四隅にそれぞれ配置されている。また、このベース１２の側面には、接続管５３が外箱の外部に突出するように設けられている。
【００１９】
外槽２０は、その底部に開口する排水口５１を有し、外箱１０に対してサスペンション部材(図示せず)によって吊り下げられている。このサスペンション部材は、外槽２０の下方と外箱１０の上方とを連結する形で計４箇所に配備され、外槽２０を揺動可能に支持している。
【００２０】
内槽３０は、洗剤を溶かした水またはすすぎ用の水などの洗濯水が溜められるようになっている。この内槽３０は、底部３０１と、この底部３０１の周縁から上方に向かって伸びる周側部３０２と、上端に設けられた略円形状の上部開口部３０３とを有している。
【００２１】
底部３０１には、駆動ユニット４０により正逆方向に回転可能に配置された攪拌翼２と、それぞれ間隔を空けて配置された４つの排水孔５７（図１では一部のみ示す）とが設けられている。周側部３０２には、上部に間隔を空けて配置された複数の脱水孔３１と、内槽３０の高さ方向の中間（すなわち、内槽３０の底部３０１および上部開口部３０３の中間）に配置された装置取付部３３と、この装置取付部３３に着脱可能に取り付けられたリント捕獲装置１００とが設けられている。
【００２２】
装置取付部３３は、図２に示すように、内槽３０の周方向（図２の左右方向）の略中央に設けられた取付溝部３４を有し、図３に示すように、内槽３０の周側部３０２から径方向の内側に向かって突出している。取付溝部３４は、内槽３０の回転軸の延在方向（すなわち、図２の上下方向）に延びて、リント捕獲装置１００が取り付け可能に構成されている。
【００２３】
また、装置取付部３３の取付溝部３４の上側には、後述するリント捕獲装置１００の取付爪部１１３を操作し易くするための凹部３５が設けられ、取付溝部３４の周方向の両側には、水流形成溝部３６がそれぞれ設けられている。水流形成溝部３６によって、リント捕獲装置１００の周方向に向かう強い洗濯水の流れが形成されるようになっている。
【００２４】
また、内槽３０の上端部には、内槽３０を高速回転させたときに振動を抑制する働きをする環状のバランサ３２が、上部開口部３０３を取り囲むように設けられている。
【００２５】
攪拌翼２は、駆動ユニット４０によって、操作パネルを介してユーザにより指示された運転コース等に応じて回転する。例えば、洗濯またはすすぎ運転を行う場合、攪拌翼２は、５０〜１５０ｒｐｍの回転速度で、正回転方向および逆回転方向に交互に繰り返し回転する。また、脱水運転を行う場合、攪拌翼２は、内槽３０と一緒に０〜１０００ｒｐｍの回転速度で逆回転方向に回転する。
【００２６】
駆動ユニット４０は、モータ４１と、モータ４１の回転出力を伝達するベルト機構４２と、クラッチ・ブレーキ機構４３と、クラッチ・ブレーキ機構４３の中央部に同軸に配された脱水軸４４および攪拌翼軸４５とを含んでいる。脱水軸４４および攪拌翼軸４５は、脱水軸４４が外側に配置され、攪拌翼軸４５が内側に配置された二重軸構造となっている。脱水軸４４は、下方から上方に向かって外槽２０底面を貫き、内槽３０を支持している。攪拌翼軸４５は、下方から上方に向かって外槽２０を貫通し、さらに内槽３０の底部３０１を貫き、攪拌翼２を支持している。
【００２７】
また、洗濯機１は、排水孔５７、シールホルダ５４、排水口５１、排水管５２、および、接続管５３で構成された排水経路５０を有している。
【００２８】
シールホルダ５４は、外槽２０と内槽３０との間に配置され、外槽２０の排水口５１に接続されていると共に、排水孔５７を介して内槽３０の内部に接続されている。このシールホルダ５４の内側には、オイルシール(図示せず)が圧入され、これにより内槽３０がシールされ、外槽２０と内槽３０との間に独立した排水空間５６が形成されている。
【００２９】
排水管５２は、外槽２０の下側に配置され、排水口５１と接続管５３とに接続されている。排水管５２の排水口５１と接続管５３との間には、排水弁５８が設けられている。接続管５３には、排水ホース（図示せず）が接続され、排水口５１、排水管５２、接続管５３、および、排水ホースを介して、外槽２０および内槽３０内の水を外箱１０の外に排水するようになっている。
【００３０】
上記洗濯機１で洗濯またはすすぎ運転を行う場合、制御装置７０によって排水弁５８が閉じられ、内槽３０内にのみ水が貯められる。また、脱水運転を行う場合、制御装置７０によって排水弁５８が開かれ、内槽３０内の水は外部に排水される。各運転時に、脱水軸４４、攪拌翼軸４５、および、内槽３０がモータ４１の駆動により回転するが、シールホルダ５４の内側に圧入されたオイルシールにより、内槽３０は、シールホルダ５４に対して相対的に回転可能な状態で、水密構造を取り続けることができる。
【００３１】
次に、図２〜図１０を参照して、リント捕獲装置１００についてより詳しく説明する。なお、図３、図９、および、図１０では、リント捕獲装置１００の断面のみにハッチングを施している。
【００３２】
リント捕獲装置１００は、図２に示すように、正面が内槽３０の内部に面して内槽３０の径方向の内側を向くように取り付けられている。このリント捕獲装置１００は、図４および図５に示すように、装置本体１１０と蓋体１２０とで構成された略矩形箱状のハウジング１０１を備えている。ハウジング１０１の内部には、洗濯水に含まれるリントを捕獲可能な捕獲室１０２（図５のみに示す）が設けられている。なお、図４および図５において、Ｘ方向が内槽３０の周方向に対応し、Ｙ方向が内槽３０の径方向に対応し、Ｚ方向が内槽３０の高さ方向に対応している。
【００３３】
装置本体１１０は、図４および図５に示すように、略矩形の中空箱形状を有している。図４に示すように、装置本体１１０のＺ方向の上端部には、リント捕獲装置１００を内槽３０の装置取付部３３に取り付けるための取付爪部１１３が設けられている。また、装置本体１１０のＺ方向の下端部には、蓋体１２０を枢動可能に支持する蓋体支持部１１２が設けられている。
【００３４】
装置本体１１０の正面には、図３に示すように、内槽３０の周方向において内槽３０の周側部３０２に沿って湾曲する湾曲面１１８が設けられている。また、図４に示すように、装置本体１１０の正面には、装置本体１１０をＹ方向に貫通して装置本体１１０の外部と捕獲室１０２とに連通する複数の正面孔部１０３が設けられている。各正面孔部１０３は、装置本体１１０の正面の長手方向に沿って配置されていると共に、金属製または樹脂製のメッシュで覆われており、洗濯水が通過する際に、洗濯水に含まれる糸屑等の異物（リント）を取り除くことができるようになっている。
【００３５】
また、装置本体１１０の正面の正面孔部１０３と取付爪部１１３との間には、ユーザが指を引っかけてリント捕獲装置１００を装置取付部３３に対して着脱し易くするための溝部１１６が設けられている。この溝部１１６のＸ方向の両側には、図５に示すように、蓋体１２０を装置本体１１０に固定するための一対の凹部１１７が設けられている。各凹部１１７は、装置本体１１０の背面側に開口するように設けられている。
【００３６】
装置本体１１０のＸ方向の両側面には、図５に示すように、第１側方孔部１１４および第２側方孔部１１５がそれぞれ設けられている。第１側方孔部１１４および第２側方孔部１１５の各々は、装置本体１１０の背面開口部１１１側の縁部の一部に設けられかつ装置本体１１０の長手方向に沿って延びる略矩形の切欠形状を有している。また、第１側方孔部１１４および第２側方孔部１１５の各々は、Ｙ方向に沿って見た平面視において、装置本体１１０の短手方向の中心線ＣＬ１（図４に示す）に対して対称に配置されていると共に、その長手方向の中心線ＣＬ３（図４には第１側方孔部１１４の中心線のみ示す）が、装置本体１１０の長手方向の中心線ＣＬ２（図４に示す）よりも装置本体１１０の下端部側に配置されている。
【００３７】
また、図５に示すように、第１側方孔部１１４および第２側方孔部１１５の各々には、第１側方孔部１１４および第２側方孔部１１５を開閉する開閉部の一例の第１フラップ１３０および第２フラップ１４０がそれぞれ設けられている。第１フラップ１３０および第２フラップ１４０の各々は、矩形板状の本体部１３１，１４１と、本体部１３１，１４１の内側面の短手方向の一端部（すなわち、背面開口部１１１側の端部）に設けられた流出防止部１３２，１４２と、本体部１３１，１４１の長手方向の端部に設けられた側壁部１３３（図５では第１フラップ１３０についてのみ示す）とで構成されている。また、第１フラップ１３０および第２フラップ１４０の各々は、Ｙ方向に沿って見た平面視において、装置本体１１０の短手方向の中心線ＣＬ１（図４に示す）に対して対称に配置されている。
【００３８】
各本体部１３１，１４１は、装置本体１１０のＸ方向の内側面の略全体を覆うように設けられており、その短手方向の他端部（すなわち、正面側の端部）に、Ｚ方向に延びる回転軸部１３５（図５に一方のみ示す）を有している。この回転軸部１３５は、後述する装置本体１１０の軸受部１０４に回転可能に支持されている。
【００３９】
また、第１フラップ１３０および第２フラップ１４０の各々は、第１側方孔部１１４および第２側方孔部１１５を閉鎖した場合に、第１側方孔部１１４および第２側方孔部１１５および第１側方孔部１１４および第２側方孔部１１５の周辺部に対向し、第１側方孔部１１４および第２側方孔部１１５に加えて、第１側方孔部１１４および第２側方孔部１１５の周辺部を覆うことができるようになっている。
【００４０】
すなわち、第１フラップ１３０および第２フラップ１４０の各々は、ハウジング１０１の装置本体１１０に回転可能に支持されて、第１側方孔部１１４および第２側方孔部１１５を開閉可能になっている。なお、第１実施形態では、第１フラップ１３０は、装置本体１１０の第１側方孔部１１４が設けられている側面に対して、第２フラップ１４０は、装置本体１１０の第２側方孔部１１５が設けられている側面に対して、約４５度回転可能に構成されている。
【００４１】
各流出防止部１３２，１４２は、図５に示すように、対応する本体部１３１，１４１から捕獲室１０２の内部に向かって略垂直に延びている。すなわち、第１フラップ１３０および第２フラップ１４０は、それぞれ、回転軸部１３５（すなわち、Ｚ方向）に直交する断面視において、略Ｌ字形状を有している。
【００４２】
また、図５に示すように、第１フラップ１３０には、第１フラップ１３０をその回転方向に貫通する第１貫通孔部１３４が設けられ、第２フラップ１４０には、第２フラップ１４０をその回転方向に貫通する第２貫通孔部１４４が設けられている。第１貫通孔部１３４および第２貫通孔部１４４の各々は、第１フラップ１３０および第２フラップ１４０の各々の回転軸の延在方向に交差する方向（すなわち、Ｙ方向）に沿って、各本体部１３１，１４１および各流出防止部１３２，１４２に亘って延びるスリット状を有している。
【００４３】
詳しくは、第１フラップ１３０には、図５に示すように、複数の第１貫通孔部１３４が設けられている。第１実施形態では、第１貫通孔部１３４は、図６に示すように、第１フラップ１３０の回転軸の延在方向（すなわち、Ｚ方向）における第１貫通孔部１３４の長さＷ１が２ｍｍに設定され、隣接する第１貫通孔部１３４間の直線距離Ｗ２が６ｍｍに設定されている。すなわち、第１フラップ１３０の回転軸の延在方向における第１貫通孔部１３４の長さＷ１が、隣接する第１貫通孔部１３４間の直線距離Ｗ２に対して、１／３になるように構成されている。また、第１貫通孔部１３４のＹ方向における長さＨ２は、本体部１３１の短手方向の長さ（すなわち、本体部１３１の幅）Ｈ１に対して、２／３になるように構成されている。
【００４４】
また、図７に示すように、第１貫通孔部１３４の本体部１３１の短手方向（すなわち、Ｙ方向）の端部には、傾斜面１３６が設けられている。この傾斜面１３６は、本体部１３１の厚さ方向（すなわち、Ｘ方向）において、流出防止部１３２に接近するにつれて、回転軸部１３５から離れるように傾斜している。このように傾斜面１３６を設けることで、第１フラップ１３０が回転して第１側方孔部１１４が解放されたときに、傾斜面１３６が設けられていない状態と比較して、ハウジング１０１の側面視（すなわち、Ｘ方向に沿って見た平面視）における第１貫通孔部１３４の開口面積を大きくすることができる。これにより、捕獲室１０２から第１側方孔部１１４を介してハウジング１０１の外部に流出する洗濯水の流出量を増やすことなく、ハウジング１０１の外部から第１側方孔部１１４を介して捕獲室１０２に流入する洗濯水の流入量を増やすことができるので、洗濯水に含まれるリントの捕獲性能を高めることができる。
【００４５】
なお、第１貫通孔部１３４のＹ方向における長さＨ２は、本体部１３１の短手方向の長さＨ１に対して、２／３以下になるように構成されるのが好ましい。これは、第１貫通孔部１３４のＹ方向における長さＨ２が、本体部１３１の短手方向の長さＨ１の２／３を超えると、第１フラップ１３０の強度が低くなりすぎて、第１フラップ１３０の寿命が短くなるおそれがあるからである。
【００４６】
第２フラップ１４０は、第１フラップ１３０と同様の構成を有している。このため、第２フラップ１４０についての説明は、第１フラップ１３０の説明を援用して省略する。
【００４７】
図５に示すように、装置本体１１０の正面側の内面の四隅には、軸受部１０４（図５では、１つのみ示す）が設けられている。この軸受部１０４によって、第１フラップ１３０および第２フラップ１４０の各回転軸部１３５が支持され、第１フラップ１３０および第２フラップ１４０の各々が、対応する回転軸部１３５を中心に枢動可能になっている。
【００４８】
なお、軸受部１０４は、Ｙ方向に沿って見た平面視においてに、装置本体１１０のＺ方向に相対する一対の側面の各々に対して平行ではなく、この一対の側面の各々に対して鋭角を成し、かつ、一方の側面から他方の側面に向かうに従って装置本体１１０の短手方向の中心線ＣＬ１に接近する方向に延びている。これにより、第１フラップ１３０および第２フラップ１４０の各々が、その自重により内槽３０の周方向の外側（すなわち、第１側方孔部１１４および第２側方孔部１１５をそれぞれ閉鎖する方向）に移動し易くなっている。
【００４９】
蓋体１２０は、図５に示すように、装置本体１１０の背面開口部１１１を覆う略矩形の板形状を有し、長手方向の一端（すなわち、Ｚ方向の下端）が、装置本体１１０の蓋体支持部１１２に枢動可能に支持されて、背面開口部１１１を開閉可能になっている。
【００５０】
蓋体１２０の内面（すなわち、装置本体１１０に対向する面）の長手方向の他端（すなわち、Ｚ方向の上端）の各隅部には、蓋体１２０を装置本体１１０に固定するための一対の固定爪部１２１が設けられている。
【００５１】
また、蓋体１２０の内面には、装置本体１１０に向かって突出する周壁部１２２が設けられている。この周壁部１２２は、装置本体１１０の背面開口部１１１の内周縁に沿って設けられて、その外側面が、装置本体１１０のＸ方向の両内側面と、Ｚ方向の上側の内側面と、Ｚ方向の下側の内側面の一部の内周面とに接触可能に配置されている。
【００５２】
蓋体１２０の内面の中央には、蓋体１２０の板面の長手方向に延びる仕切部の一例のリブ１２３が設けられている。このリブ１２３は、蓋体１２０により装置本体１１０の背面開口部１１１を閉鎖した状態で、捕獲室１０２の内部に設けられ、内槽３０の周側部３０２の内周面に沿って内槽３０の周方向に交差する方向（すなわち、Ｚ方向）に沿って装置本体１１０の長手方向における捕獲室１０２の一端から他端まで延び、かつ、装置本体１１０の第１側方孔部１１４および第２側方孔部１１５に対向する位置に配置されて、第１側方孔部１１４と第２側方孔部１１５との間を仕切っている。
【００５３】
詳しくは、リブ１２３は、図８に示すように、リブ１２３の延在方向（すなわち、Ｚ方向）に沿って間隔を空けて配置され、ハウジング１０１の捕獲室１０２に面する内面における内槽３０の内周面に交差する方向（すなわち、Ｙ方向）の一方から他方に向かって突出する複数の板形状の突起部１２４を有し、隣接する突起部１２４間に隙間１２５が設けられている。第１実施形態では、リブ１２３の延在方向における隙間１２５の長さＷ３が２ｍｍに設定され、リブ１２３の延在方向における突起部１２４の長さＷ４が４ｍｍに設定されている。すなわち、リブ１２３の延在方向における隙間１２５の長さＷ３が、リブ１２３の延在方向における突起部１２４の長さＷ４に対して、１／２になるように構成されている。また、隙間１２５のＹ方向における長さＨ４は、リブ１２３の板面の短手方向の長さＨ３に対して、２／３になるように構成されている。
【００５４】
なお、隙間１２５のＹ方向における長さＨ４は、リブ１２３の板面の短手方向の長さ（すなわち、リブ１２３の高さ）Ｈ３に対して、１／２以上になるように構成されているのが好ましい。これは、隙間１２５のＹ方向における長さＨ４が、リブ１２３の高さＨ３の１／２未満になると、隙間１２５を通過可能な洗濯水の量が少なくなり、捕獲室１０２の内部に流入した洗濯水を捕獲室１０２全体に亘ってスムーズに行き渡らせることができなくなるおそれがあるからである。
【００５５】
また、リブ１２３は、流入水案内部１２６を有している。この流入水案内部１２６は、各突起部１２４の突出方向における両端部の蓋体１２０に近い方の基端部に配置され、突起部１２４の突出方向に交差する方向（すなわち、Ｚ方向）に延びている。この流入水案内部１２６により、ハウジング１０１の外部から装置本体１１０の第１側方孔部１１４および第２側方孔部１１５を介して捕獲室１０２に流入した洗濯水が、正面孔部１０３を介してハウジング１０１の外部に案内される。
【００５６】
続いて、リント捕獲装置１００の動作について説明する。
【００５７】
図９に示すように、内槽３０の高さ方向における上部開口部３０３側から見て、攪拌翼２が反時計回り（以下、正方向とする）に回転すると、内槽３０の内部に正方向の洗濯水の流れが発生する。この正方向の洗濯水の流れによって、第１フラップ１３０が回転し捕獲室１０２の内部に押し込まれる。これにより、第１側方孔部１１４が開放され、洗濯水が、第１側方孔部１１４を介して捕獲室１０２の内部に流れ込む。
【００５８】
捕獲室１０２の内部に流れ込んだ洗濯水は、リブ１２３の流入水案内部１２６によって、その一部が内槽３０の径方向の内側に向かって流れる。
【００５９】
リブ１２３の流入水案内部１２６によって内槽３０の径方向の内側に向かって流れた洗濯水は、捕獲室１０２から、リブ１２３に対して第１側方孔部１１４側の正面孔部１０３を介して、あるいは、第２側方孔部１１５が第２フラップ１４０により閉鎖されているので、リブ１２３の隙間１２５を通って第２側方孔部１１５側の正面孔部１０３を介して、ハウジング１０１の外部に流出する。このとき、洗濯水に含まれるリントは、リブ１２３の隙間１２５を通過するときに突起部１２４により取り除かれると共に、捕獲室１０２からハウジング１０１の外部に流出するときに正面孔部１０３のメッシュにより取り除かれ、捕獲室１０２の内部に捕獲される。
【００６０】
また、リブ１２３の隙間１２５を通って第２フラップ１４０に向かって流れた洗濯水の一部は、第２フラップ１４０の第２貫通孔部１４４を介して捕獲室１０２からハウジング１０１の外部に流出する。この第２フラップ１４０への流れは、第２フラップ１４０を捕獲室１０２からハウジング１０１の外部に向かって押圧し、第２側方孔部１１５を閉鎖させる。このとき、洗濯水に含まれるリントは、第２貫通孔部１４４を通るときに第２フラップ１４０の本体部１４１により取り除かれ、捕獲室１０２の内部に捕獲される。
【００６１】
一方、図１０に示すように、内槽３０の高さ方向における上部開口部３０３側から見て、攪拌翼２が時計回り（以下、逆方向とする）に回転すると、内槽３０の内部に逆方向の洗濯水の流れが発生する。この逆方向の洗濯水の流れによって、第２フラップ１４０が回転し捕獲室１０２の内部に押し込まれる。これにより、第２側方孔部１１５が開放され、洗濯水が、第２側方孔部１１５を介して捕獲室１０２の内部に流れ込む。
【００６２】
捕獲室１０２の内部に流れ込んだ洗濯水は、リブ１２３の流入水案内部１２６によって、その一部が内槽３０の径方向の内側に向かって流れる。
【００６３】
リブ１２３の流入水案内部１２６によって内槽の径方向の内側に向かって流れた洗濯水は、捕獲室１０２から、リブ１２３に対して第２側方孔部１１５側の正面孔部１０３を介して、あるいは、第１側方孔部１１４が第１フラップ１３０により閉鎖されているので、リブ１２３の隙間１２５を通って第１側方孔部１１４側の正面孔部１０３を介して、ハウジング１０１の外部に流出する。このとき、洗濯水に含まれるリントは、リブ１２３の隙間１２５を通過するときに突起部１２４により取り除かれると共に、捕獲室１０２からハウジング１０１の外部に流出するときに正面孔部１０３のメッシュにより取り除かれ、捕獲室１０２の内部に捕獲される。
【００６４】
また、リブ１２３の隙間１２５を通って第１フラップ１３０に向かって流れた洗濯水の一部は、第１フラップ１３０の第１貫通孔部１３４を介して捕獲室１０２からハウジング１０１の外部に流出する。この第１フラップ１３０への流れは、第１フラップ１３０を捕獲室１０２からハウジング１０１の外部に向かって押圧し、第１側方孔部１１４を閉鎖させる。このとき、洗濯水に含まれるリントは、第１貫通孔部１３４を通るときに第１フラップ１３０の本体部１３１により取り除かれ、捕獲室１０２の内部に捕獲される。
【００６５】
このように、上記洗濯機１では、リント捕獲装置１００の捕獲室１０２の内部に、第１側方孔部１１４と第２側方孔部１１５との間を仕切るリブ１２３が設けられ、このリブ１２３が、隣接する相互間に隙間１２５が設けられた複数の突起部１２４を有している。これにより、一方の側方孔部から捕獲室１０２の内部に流入した洗濯水を捕獲室１０２全体に亘ってスムーズに行き渡らせつつ、流入した洗濯水に含まれるリントを確実に捕獲することができるので、洗濯水に含まれるリントの捕獲性能が高い洗濯機１を実現できる。
【００６６】
また、第１フラップ１３０の少なくとも第１側方孔部１１４を覆う部分に、第１フラップ１３０を第１フラップ１３０の回転方向に貫通する第１貫通孔部１３４が設けられ、第２フラップ１４０の少なくとも第２側方孔部１１５を覆う部分に、第２フラップ１４０を第２フラップ１４０の回転方向に貫通する第２貫通孔部１４４が設けられている。これにより、第１フラップ１３０および第２フラップ１４０の各々に第１貫通孔部１３４および第２貫通孔部１４４が設けられていないリント捕獲装置を備えた洗濯機と比較して、捕獲室１０２の内部に流入する洗濯水の量を増やすことができるので、洗濯水に含まれるリントの捕獲性能を高めることができる。その結果、洗濯水に含まれるリントの捕獲性能が高い洗濯機１を実現できる。
【００６７】
また、第１貫通孔部１３４が、第１フラップ１３０の回転軸の延在方向に交差する方向に延びるスリット状を有し、第２貫通孔部１４４が、第２フラップ１４０の回転軸の延在方向に交差する方向に延びるスリット状を有している。これにより、第１貫通孔部１３４および第２貫通孔部１４４を通る洗濯水の量を増やすことができるので、洗濯水に含まれるリントの捕獲性能を高めることができる。その結果、洗濯水に含まれるリントの捕獲性能が高い洗濯機１を実現できる。
【００６８】
また、リブ１２３が、突起部１２４の突出方向に交差する方向に延びて、ハウジング１０１の外部から第１側方孔部１１４および第２側方孔部１１５を介して捕獲室１０２に流入した水を、正面孔部１０３を介してハウジング１０１の外部に案内する流入水案内部１２６を有している。これにより、第１側方孔部１１４および第２側方孔部１１５から捕獲室１０２の内部に流入した洗濯水を捕獲室１０２全体に亘ってよりスムーズに行き渡らせつつ、メッシュにてより小さなリントまで捕獲しやすい正面孔部１０３に水を案内するので、流入した洗濯水に含まれるリントをより確実に捕獲することができる。その結果、洗濯水に含まれるリントの捕獲性能が高い洗濯機１を実現できる。
【００６９】
また、装置本体１１０の正面に、内槽３０の周方向において内槽３０の周側部３０２に沿って湾曲する湾曲面１１８が設けられている。これにより、内槽３０の洗濯水の流れをスムーズにして、リント捕獲装置１００の捕獲室１０２に流入する洗濯水の量を増やすことができるので、洗濯水に含まれるリントの捕獲性能を高めることができる。その結果、洗濯水に含まれるリントの捕獲性能が高い洗濯機１を実現できる。
【００７０】
なお、仕切部は、１つのリブ１２３に限らず、複数のリブで構成されていてもよい。この場合、複数のリブは、例えば、蓋体１２０の板面の長手方向に延び、かつ、蓋体１２０の板面の短手方向に間隔を空けて配置すればよい。また、リブ１２３の複数の突起部１２４は、板形状に限らず、例えば、円柱形状であってもよい。
【００７１】
また、第１実施形態のリント捕獲装置１００では、リブ１２３を複数の突起部１２４で構成し、第１フラップ１３０および第２フラップ１４０の各々に第１貫通孔部１３４および第２貫通孔部１４４を設けているが、これに限らない。例えば、リント捕獲装置１００は、複数の突起部１２４で構成されたリブ１２３と、第１貫通孔部および第２貫通孔部を設けていない第１フラップおよび第２フラップとで構成されていてもよいし、第１貫通孔部１３４および第２貫通孔部１４４がそれぞれ設けられた第１フラップ１３０および第２フラップ１４０と、１つの板状部材のリブとで構成されていてもよいし、リブを設けないで、第１貫通孔部１３４および第２貫通孔部１４４がそれぞれ設けられた第１フラップ１３０および第２フラップ１４０のみで構成されていてもよい。
【００７２】
また、上記洗濯機１では、蓋体１２０にリブ１２３を設けているが、これに限らず、装置本体１１０にリブ１２３を設けてもよい。
【００７３】
また、リブ１２３は、少なくとも、第１側方孔部１１４および第２側方孔部１１５に対向していればよく、装置本体１１０の長手方向における捕獲室１０２の一端から他端まで延びている場合に限らない。また、第１フラップ１３０および第２フラップ１４０の各々も同様に、少なくとも、第１側方孔部１１４および第２側方孔部１１５を覆うことができればよく、装置本体１１０の長手方向における捕獲室１０２の一端から他端まで延びている場合に限らない。
【００７４】
（第２実施形態）
第１フラップ１３０の回転軸の延在方向における第１貫通孔部１３４の長さＷ１は、第１フラップ１３０の回転軸の延在方向における隣接する第１貫通孔部１３４間の長さＷ２に対して、１／５以上かつ１／３以下になるように構成され、第２フラップ１４０の回転軸の延在方向における第２貫通孔部１４４の長さＷ１は、第２フラップ１４０の回転軸の延在方向における隣接する第２貫通孔部１４４間の長さＷ２に対して、１／５以上かつ１／３以下になるように構成されているのが好ましい。
【００７５】
第１貫通孔部１３４（または第２貫通孔部１４４）の長さＷ１が、第１フラップ１３０（または第２フラップ１４０）の回転軸の延在方向における隣接する第１貫通孔部１３４（または第２貫通孔部１４４）間の長さＷ２の１／５未満であると、第１貫通孔部１３４（または第２貫通孔部１４４）を通過可能な洗濯水の量が少なくなり、捕獲室１０２の内部に流入した洗濯水を捕獲室１０２全体に亘ってスムーズに行き渡らせることができなくなるおそれがある。また、第１貫通孔部１３４（または第２貫通孔部１４４）の長さＷ１が、第１フラップ１３０（または第２フラップ１４０）の回転軸の延在方向における隣接する第１貫通孔部１３４（または第２貫通孔部１４４）間の長さＷ２の１／３を超えると、第１貫通孔部１３４（または第２貫通孔部１４４）を通過する洗濯水に含まれるリントを十分に取り除くことができなくなるおそれがある。また、第１フラップ１３０（または第２フラップ１４０）の強度が弱くなり、第１フラップ１３０（または第２フラップ１４０）に不良が発生し易くなったり、第１フラップ１３０（または第２フラップ１４０）の寿命が短くなったりするおそれもある。
【００７６】
すなわち、第１貫通孔部１３４（または第２貫通孔部１４４）の長さＷ１が、第１フラップ１３０（または第２フラップ１４０）の回転軸の延在方向における隣接する第１貫通孔部１３４（または第２貫通孔部１４４）間の長さＷ２に対して、１／５以上かつ１／３以下になるように構成することで、一方の側方孔部から捕獲室１０２の内部に流入した洗濯水を捕獲室１０２全体に亘ってスムーズに行き渡らせつつ、流入した洗濯水に含まれるリントをより確実に捕獲することができる。
【００７７】
（第３実施形態）
リブ１２３の延在方向における隙間１２５の長さＷ３が、リブ１２３の延在方向における突起部１２４の長さＷ４に対して、１／４以上かつ１／２以下になるように構成されているのが好ましい。
【００７８】
リブ１２３の延在方向における隙間１２５の長さＷ３が、リブ１２３の延在方向における突起部１２４の長さＷ４の１／４未満であると、隙間１２５を通過可能な洗濯水の量が少なくなり、捕獲室１０２の内部に流入した洗濯水を捕獲室１０２全体に亘ってスムーズに行き渡らせることができなくなるおそれがある。また、リブ１２３の延在方向における隙間１２５の長さＷ３が、リブ１２３の延在方向における突起部１２４の長さＷ４の１／２を超えると、隙間１２５を通過する洗濯水に含まれるリントを十分に取り除くことができなくなるおそれがある。
【００７９】
すなわち、リブ１２３の延在方向における隙間１２５の長さＷ３が、リブ１２３の延在方向における突起部１２４の長さＷ４に対して、１／４以上かつ１／２以下になるように構成することで、一方の側方孔部から捕獲室１０２の内部に流入した洗濯水を捕獲室１０２全体に亘ってスムーズに行き渡らせつつ、流入した洗濯水に含まれるリントをより確実に捕獲することができる。
【００８０】
（第４実施形態）
リブ１２３の隙間１２５の少なくとも１つが、内槽３０の周方向から見て、第１フラップ１３０の第１貫通孔部１３４および第２フラップ１４０の第２貫通孔部１４４の少なくともいずれかと相互に重ならないように配置することで、一方の側方孔部から捕獲室１０２の内部に流入した洗濯水が、他方の側方孔部から流出するまでの流路を長くすることができる。これにより、リント捕獲装置１００の洗濯水に含まれるリントの捕獲性能を高めることができる。
【００８１】
（第５実施形態）
第１フラップ１３０の第１貫通孔部１３４の少なくとも１つが、内槽３０の周方向から見て、第２フラップ１４０の第２貫通孔部１４４と相互に重ならないように配置することで、一方の側方孔部から捕獲室１０２の内部に流入した洗濯水が、他方の側方孔部から流出するまでの流路を長くすることができる。これにより、リント捕獲装置１００の洗濯水に含まれるリントの捕獲性能を高めることができる。
【００８２】
（第６実施形態）
洗濯機は、上記実施形態に限らず、内槽の内周面にリント捕獲装置を設けることができるものであればよい。例えば、内槽は、上記実施形態のような「孔なし」タイプに限らず、周壁に複数個の孔を有する「孔あり」タイプであってもよい。
【００８３】
以上、図面を参照して本発明における種々の実施形態を詳細に説明したが、最後に、本発明の種々の態様について説明する。
【００８４】
本発明の一実施形態の洗濯機１は、
底部３０１および周側部３０２を有し、洗濯水が貯留される有底筒状の内槽３０と、
上記底部３０１に正逆方向に回転可能に設けられ、上記内槽３０に貯留された洗濯水を攪拌して、正逆方向の水流を発生させる攪拌翼２と、
上記周側部３０２の内周面に取り付けられたリント捕獲装置１００と、
を備え、
上記リント捕獲装置１００が、
ハウジング１０１と、
上記ハウジング１０１の内部に設けられ、上記洗濯水に含まれるリントを捕獲可能な捕獲室１０２と、
上記ハウジング１０１の上記内槽３０の周方向の一方に設けられ、上記ハウジング１０１の外部と上記捕獲室１０２とに連通する第１側方孔部１１４と、
上記ハウジング１０１の上記内槽３０の周方向の他方に設けられ、上記ハウジング１０１の外部と上記捕獲室１０２とに連通する第２側方孔部１１５と、
上記ハウジング１０１に回転可能に支持されて、上記第１側方孔部１１４を閉塞可能であると共に、上記攪拌翼２による正方向の水流によって上記第１側方孔部１１４を開放し、上記攪拌翼２による逆方向の水流によって上記第１側方孔部１１４を閉鎖する第１開閉部１３０と、
上記ハウジング１０１に回転可能に支持されて、上記第２側方孔部１１５を閉塞可能であると共に、上記攪拌翼２による逆方向の水流によって上記第２側方孔部１１５を開放し、上記攪拌翼２による正方向の水流によって上記第２側方孔部１１５を閉鎖する第２開閉部１４０と、
上記捕獲室１０２の内部に設けられ、上記内槽３０の上記内周面に沿って上記内槽３０の周方向に交差する方向に延びかつ上記第１側方孔部１１４および上記第２側方孔部１１５に対向する位置に配置されて、上記第１側方孔部１１４および上記第２側方孔部１１５の間を仕切る仕切部１２３と
を有し、
上記仕切部１２３は、上記ハウジング１０１の上記捕獲室１０２の内面における上記内槽３０の上記内周面に交差する方向の一方から他方に向かって突出する複数の突起部１２４を有し、隣接する上記突起部１２４間に隙間１２５が設けられている。
【００８５】
上記実施形態の洗濯機によれば、リント捕獲装置１００の捕獲室１０２の内部に、第１側方孔部１１４と第２側方孔部１１５との間を仕切る仕切部１２３が設けられ、この仕切部１２３が、隣接する相互間に隙間１２５が設けられた複数の突起部１２４を有している。これにより、一方の側方孔部から捕獲室１０２の内部に流入した洗濯水を捕獲室１０２全体に亘ってスムーズに行き渡らせつつ、流入した洗濯水に含まれるリントを確実に捕獲することができるので、洗濯水に含まれるリントの捕獲性能が高い洗濯機１を実現できる。
【００８６】
また、本発明の一実施形態の洗濯機１は、
上記第１開閉部１３０の少なくとも上記第１側方孔部１１４を覆う部分に、上記第１開閉部１３０を上記第１開閉部１３０の回転方向に貫通する第１貫通孔部１３４が設けられ、
上記第２開閉部１４０の少なくとも上記第２側方孔部１１５を覆う部分に、上記第２開閉部１４０を上記第２開閉部１４０の回転方向に貫通する第２貫通孔部１４４が設けられている。
【００８７】
上記実施形態の洗濯機によれば、第１開閉部１３０および第２開閉部１４０の各々に第１貫通孔部１３４および第２貫通孔部１４４が設けられていないリント捕獲装置を備えた洗濯機と比較して、捕獲室１０２の内部に流入する洗濯水の量を増やすことができるので、洗濯水に含まれるリントの捕獲性能を高めることができる。その結果、洗濯水に含まれるリントの捕獲性能が高い洗濯機１を実現できる。
【００８８】
また、本発明の一実施形態の洗濯機１は、
上記第１貫通孔部１３４が、上記第１開閉部１３０の回転軸の延在方向に交差する方向に延びるスリット状を有し、上記第２貫通孔部１４４が、上記第２開閉部１４０の回転軸の延在方向に交差する方向に延びるスリット状を有している。
【００８９】
上記実施形態の洗濯機によれば、第１貫通孔部１３４および第２貫通孔部１４４を通る洗濯水の量を増やすことができるので、洗濯水に含まれるリントの捕獲性能を高めることができる。その結果、洗濯水に含まれるリントの捕獲性能が高い洗濯機１を実現できる。
【００９０】
また、本発明の一実施形態の洗濯機１は、
上記第１開閉部１３０が、上記第１開閉部１３０の回転軸の延在方向に沿って間隔を空けて配置された複数の上記第１貫通孔部１３４を有し、上記第１開閉部１３０の回転軸の延在方向における上記第１貫通孔部１３４の長さが、隣接する上記第１貫通孔部１３４間の直線距離に対して、１／５以上かつ１／３以下になるように構成されており、
上記第２開閉部１４０が、上記第２開閉部１４０の回転軸の延在方向に沿って間隔を空けて配置された複数の上記第２貫通孔部１４４を有し、上記第２開閉部１４０の回転軸の延在方向における上記第２貫通孔部１４４の長さが、隣接する上記第２貫通孔部１４４間の直線距離に対して、１／５以上かつ１／３以下になるように構成されている。
【００９１】
上記実施形態の洗濯機によれば、捕獲室１０２に流入する洗濯水の量を増やし、第１開閉部１３０および第２開閉部１４０の強度を確保しつつ、一方の側方孔部から捕獲室１０２の内部に流入した洗濯水を捕獲室１０２全体に亘ってスムーズに行き渡らせることができる。これにより、第１開閉部１３０および第２開閉部１４０に対する不良の発生および第１開閉部１３０および第２開閉部１４０の寿命の低下を回避すると共に、流入した洗濯水に含まれるリントをより確実に捕獲することができる。
【００９２】
また、本発明の一実施形態の洗濯機１は、
上記仕切部１２３の延在方向における上記隙間１２５の長さが、上記仕切部１２３の延在方向における上記突起部１２４の長さに対して、１／４以上かつ１／２以下になるように構成されている。
【００９３】
上記実施形態の洗濯機によれば、一方の側方孔部から捕獲室１０２の内部に流入した洗濯水を捕獲室１０２全体に亘ってスムーズに行き渡らせつつ、流入した洗濯水に含まれるリントをより確実に捕獲することができる。
【００９４】
また、本発明の一実施形態の洗濯機１は、
上記ハウジング１０１の上記内槽３０の上記内周面に交差する方向でかつ上記内槽３０の内部に面した正面側に、上記ハウジング１０１の外部と上記捕獲室１０２とに連通した正面孔部１０３が設けられ、
上記仕切部１２３が、上記突起部１２４の突出方向に交差する方向に延びて、上記ハウジング１０１の外部から上記第１側方孔部１１４および上記第２側方孔部１１５を介して上記捕獲室１０２に流入した水を、上記正面孔部１０３を介して上記ハウジング１０１の外部に案内する流入水案内部１２６を有する。
【００９５】
上記実施形態の洗濯機によれば、第１側方孔部１１４および第２側方孔部１１５から捕獲室１０２の内部に流入した洗濯水を捕獲室１０２全体に亘ってよりスムーズに行き渡らせつつ、正面孔部１０３に洗濯水をスムーズに案内して、流入した洗濯水に含まれるリントを確実に捕獲することができるので、洗濯水に含まれるリントの捕獲性能が高い洗濯機１を実現できる。
【００９６】
また、本発明の一実施形態の洗濯機１は、
上記仕切部１２３の上記隙間１２５の少なくとも１つが、上記内槽３０の周方向から見て、上記第１開閉部１３０の上記第１貫通孔部１３４および上記第２開閉部１４０の上記第２貫通孔部１４４の少なくともいずれかと相互に重ならないように配置されている。
【００９７】
上記実施形態の洗濯機によれば、一方の側方孔部から捕獲室１０２の内部に流入した洗濯水が、他方の側方孔部から流出するまでの流路を長くすることができる。これにより、リント捕獲装置１００の洗濯水に含まれるリントの捕獲性能を高めることができる。
【００９８】
また、本発明の一実施形態の洗濯機１は、
上記第１開閉部１３０の上記第１貫通孔部１３４の少なくとも１つが、上記内槽３０の周方向から見て、上記第２開閉部１４０の上記第２貫通孔部１４４と相互に重ならないように配置されている。
【００９９】
上記実施形態の洗濯機によれば、一方の側方孔部から捕獲室１０２の内部に流入した洗濯水が、他方の側方孔部から流出するまでの流路を長くすることができる。これにより、リント捕獲装置１００の洗濯水に含まれるリントの捕獲性能を高めることができる。
【０１００】
また、本発明の一実施形態の洗濯機１は、
底部３０１および周側部３０２を有し、洗濯水が貯留される有底筒状の内槽３０と、
上記底部３０１に正逆方向に回転可能に設けられ、上記内槽３０に貯留された洗濯水を攪拌して、正逆方向の水流を発生させる攪拌翼２と、
上記周側部３０２の内周面に取り付けられたリント捕獲装置１００と、
を備え、
上記リント捕獲装置１００が、
ハウジング１０１と、
上記ハウジング１０１の内部に設けられ、上記洗濯水に含まれるリントを捕獲可能な捕獲室１０２と、
上記ハウジング１０１の上記内槽３０の周方向の一方に設けられ、上記ハウジング１０１の外部と上記捕獲室１０２とに連通する第１側方孔部１１４と、
上記ハウジング１０１の上記内槽３０の周方向の他方に設けられ、上記ハウジング１０１の外部と上記捕獲室１０２とに連通する第２側方孔部１１５と、
上記ハウジング１０１に回転可能に支持されて、上記第１側方孔部１１４を閉塞可能であると共に、上記攪拌翼２による正方向の水流によって上記第１側方孔部１１４を開放し、上記攪拌翼２による逆方向の水流によって上記第１側方孔部１１４を閉鎖する第１開閉部１３０と、
上記ハウジング１０１に回転可能に支持されて、上記第２側方孔部１１５を閉塞可能であると共に、上記攪拌翼２による逆方向の水流によって上記第２側方孔部１１５を開放し、上記攪拌翼２による正方向の水流によって上記第２側方孔部１１５を閉鎖する第２開閉部１４０と
を有し、
上記第１開閉部１３０の少なくとも上記第１側方孔部１１４を覆う部分に、上記第１開閉部１３０を上記第１開閉部１３０の回転方向に貫通する第１貫通孔部１３４が設けられ、
上記第２開閉部１４０の少なくとも上記第２側方孔部１１５を覆う部分に、上記第２開閉部１４０を上記第２開閉部１４０の回転方向に貫通する第２貫通孔部１４４が設けられている。
【０１０１】
上記実施形態の洗濯機によれば、第１フラップ１３０および第２フラップ１４０の各々に第１貫通孔部１３４および第２貫通孔部１４４が設けられていないリント捕獲装置を備えた洗濯機と比較して、捕獲室１０２の内部に流入する洗濯水の量を増やすことができるので、洗濯水に含まれるリントの捕獲性能を高めることができる。その結果、洗濯水に含まれるリントの捕獲性能が高い洗濯機１を実現できる。
【０１０２】
また、本発明の一実施形態の洗濯機は、
上記ハウジング１０１が、その正面側に、上記内槽３０の周方向において上記内槽３０の周側部３０２に沿って湾曲する湾曲面１１８を有している。
【０１０３】
上記実施形態の洗濯機によれば、内槽３０の洗濯水の流れをスムーズにして、リント捕獲装置１００の捕獲室１０２に流入する洗濯水の量を増やすことができるので、洗濯水に含まれるリントの捕獲性能を高めることができる。その結果、洗濯水に含まれるリントの捕獲性能が高い洗濯機１を実現できる。
【０１０４】
なお、上記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【０１０５】
１  洗濯機
２  攪拌翼
１０  外箱
１１  上面板
１２  ベース
１３  脚部
１４  洗濯物投入口
１５  上蓋
２０  外槽
３０  内槽
３０１  底部
３０２  周側部
３０３  上部開口部
３１  脱水孔
３２  バランサ
３３  装置取付部
３４  取付溝部
３５  凹部
３６  水流形成溝部
４０  駆動ユニット
４１  モータ
４２  ベルト機構
４３  クラッチ・ブレーキ機構
４４  脱水軸
４５  攪拌翼軸
５０  排水経路
５１  排水口
５２  排水管
５３  接続管
５４  シールホルダ
５６  排水空間
５７  排水孔
５８  排水弁
６１  接続管
７０  制御装置
１００  リント捕獲装置
１０１  ハウジング
１０２  捕獲室
１０３  正面孔部
１０４  軸受部
１１０  装置本体
１１１  背面開口部
１１２  蓋体支持部
１１３  取付爪部
１１４  第１側方孔部
１１５  第２側方孔部
１１６  溝部
１１７  凹部
１１８  湾曲面
１２０  蓋体
１２１  固定爪部
１２２  周壁部
１２３  リブ
１２４  突起部
１２５  隙間
１２６  流入水案内部
１３０  第１フラップ
１３１  本体部
１３２  流出防止部
１３３  側壁部
１３４  第１貫通孔部
１３５  回転軸部
１３６  傾斜面
１４０  第２フラップ
１４１  本体部
１４２  流出防止部
１４４  第２貫通孔部
【図１】
2018220871.tif 000003
【図２】
2018220871.tif 000004
【図３】
2018220871.tif 000005
【図４】
2018220871.tif 000006
【図５】
2018220871.tif 000007
【図６】
2018220871.tif 000008
【図７】
2018220871.tif 000009
【図８】
2018220871.tif 000010
【図９】
2018220871.tif 000011
【図１０】
2018220871.tif 000012
【国際調査報告】
2018220871.tif 000013
2018220871.tif 000014
2018220871.tif 000015
2018220871.tif 000016